(57)【要約】【課題】使用済みの合成樹脂製シートに付いた汚れを十分に洗浄できる洗浄処理装置を提供する。【解決手段】合成樹脂製シートの洗浄処理装置は、農ポリを破砕片に破砕する破砕機３３と、この破砕機３３から出た破砕片の表面に付いた汚れを高速回転体４９によって与えられる衝撃あるいは摩擦力で剥離させる乾式洗浄機５６，５７と、スクリーン回転筒を有しこの乾式洗浄機５６，５７から出た破砕片を搬送空気と共にこのスクリーン回転筒内を通すことによって破砕片から分離した土砂と粉塵をこのスクリーン回転筒のスクリーンを通して排出する土砂分離機６０とを備える。【選択図】図１
2008030364.tif 000002
【特許請求の範囲】
【請求項１】
合成樹脂製シートを破砕片に破砕する破砕機と、この破砕機から出た破砕片の表面に付いた汚れを高速回転体によって与えられる衝撃あるいは摩擦力で剥離させる乾式洗浄機と、スクリーン回転筒を有しこの乾式洗浄機から出た破砕片を搬送空気と共にこのスクリーン回転筒内を通すことによって破砕片から分離した土砂と粉塵をこのスクリーン回転筒のスクリーンを通して排出する土砂分離機とを備えたことを特徴とする合成樹脂製シートの洗浄処理装置。
【請求項２】
前記土砂分離機は土砂と粉塵を通す前記スクリーンを筒状に形成した前記スクリーン回転筒と、前記スクリーン回転筒を回転可能に収容する本体と、前記スクリーン回転筒を回転駆動する回転駆動手段と、前記スクリーン回転筒の前端に搬送空気と共に合成樹脂製シートの破砕片を搬入する搬入口と、前記スクリーンを通った粉塵を搬送空気と共に排出する粉塵排出口と、前記スクリーンを通った土砂を重力によって搬出する土砂排出口と、前記スクリーン回転筒の後端から合成樹脂製シートの破砕片を搬出する搬出口とを備えたことを特徴とする請求項１に記載の合成樹脂製シートの洗浄処理装置。
【請求項３】
前記スクリーン回転筒の回転軸を水平線に対して傾斜させ、前記スクリーン回転筒をその前端からその後端にかけて次第に低くなるように設置したことを特徴とする請求項１または２に記載の合成樹脂製シートの洗浄処理装置。
【請求項４】
前記スクリーン回転筒内の中程に搬送空気流が当たる空気流速調整板を設けたことを特徴とする請求項１から３のいずれか一つに記載の合成樹脂製シートの洗浄処理装置。
【請求項５】
前記破砕機によって破砕された合成樹脂製シートの破砕片を乾燥する乾燥機と、この乾燥機から出た合成樹脂製シートの破砕片をさらに細かい破砕片に粉砕する粉砕機とを備え、この粉砕機から出た破砕片を前記乾式洗浄機に送る構成としたことを特徴とする請求項１から４のいずれか一つに記載の合成樹脂製シートの洗浄処理装置。
【発明の詳細な説明】
【技術分野】
【０００１】
本発明は、合成樹脂製シートを再利用するための洗浄処理装置に関するものである。
【背景技術】
【０００２】
畑等で使用された使用済みの農業用のポリエチレン製シートは、産業廃棄物と見なされ、リサイクルする必要がある。
【０００３】
従来、この種の合成樹脂製シートの洗浄処理装置として、図８に示す農業用のポリエチレン製シート（以下、農ポリと呼ぶ）のリサイクルシステムがある（特許文献１参照）。
【０００４】
これについて説明すると、ストックヤード１に貯められた農ポリはコンベア２によって粉砕器３に運ばれ、この粉砕器３によってある程度の大きさに破砕され、破砕された農ポリはバケットコンベア４によってタンク５に貯められた後、分配投入機６によって２台の乾式洗浄機１０に適宜分配して送られる。乾式洗浄機１０は主として乾燥機１３、乾式洗浄機１４により構成され、各乾式洗浄機１０によって農ポリは細かい破砕片に粉砕されるとともに泥等が分離される。各乾式洗浄機１０から送り出される農ポリは、サイクロン７にて研磨粉を遠心力によって分離した後、コンベア８によって溶融機９に運ばれ、この溶融機９によってポリエチレンのブロックに固められ、再生作業を終了する。
【０００５】
乾燥機１３は溶融機９から熱風がダクト２１およびブロア２９を介して導かれ、農ポリの破砕片を乾燥させ、破砕片の表面に付着した土砂等が除去される。乾燥機１３にて分離された土砂は振動コンベア１５、コンベア１６、バケットコンベア１７によってタンク１８に運ばれて回収される。
【０００６】
乾燥機１３にて乾燥した農ポリは、送りブロアによって乾式洗浄機１４に送られる。乾式洗浄機１４は円筒状をした本体の内周および高速回転体の外周から多数の突起が突出する構造を有し、破砕片が本体と高速回転体の間を通過する過程で、破砕片が突起に繰り返し衝突し、衝撃あるいは摩擦力によって破砕片の表面に付いた汚れが剥離するようになっている。
【０００７】
こうして乾式洗浄機１４にて洗浄された農ポリは送りブロアによってサイクロン７に送られ、サイクロン７にて研磨粉を遠心力によって分離した後、コンベア８によって溶融機９に運ばれ、この溶融機９によってポリエチレンのブロックに固められ、リサイクル材料として用いられる。
【特許文献１】特開２００３−２５１６２９号公報
【発明の開示】
【発明が解決しようとする課題】
【０００８】
しかしながら、このような従来の合成樹脂製シートの洗浄処理装置にあっては、農ポリの破砕片から分離した粉塵、土砂を十分に分離することが難しいという問題点があった。
【０００９】
本発明は上記の問題点を鑑みてなされたものであり、使用済みの合成樹脂製シートに付いた汚れを十分に洗浄できる洗浄処理装置を提供することを目的とする。
【課題を解決するための手段】
【００１０】
本発明は、合成樹脂製シートの洗浄処理装置において、合成樹脂製シートを破砕片に破砕する破砕機と、この破砕機から出た破砕片の表面に付いた汚れを高速回転体によって与えられる衝撃あるいは摩擦力で剥離させる乾式洗浄機と、スクリーン回転筒を有しこの乾式洗浄機から出た破砕片を搬送空気と共にこのスクリーン回転筒内を通すことによって破砕片から分離した土砂と粉塵をこのスクリーン回転筒のスクリーンを通して排出する土砂分離機とを備えたことを特徴とするものとした。
【発明の効果】
【００１１】
本発明によると、乾式洗浄機にて破砕片の表面に付いた汚れを高速回転体によって与えられる衝撃あるいは摩擦力で剥離させた後、土砂分離機にて乾式洗浄機から出た破砕片と土砂と粉塵とを搬送空気と共にスクリーン回転筒内を通すことによって、破砕片から分離した土砂と粉塵をスクリーン回転筒のスクリーンを通して排出されるため、畑で使用された合成樹脂製シートの汚れを十分に落とすことが可能となり、高品質のリサイクル材料を得られる。
【発明を実施するための最良の形態】
【００１２】
以下、本発明の実施の形態を添付図面に基づいて説明する。
【００１３】
図１〜３は、本発明の合成樹脂製シートの洗浄処理装置として、使用済みの農ポリの洗浄処理装置を示す。この洗浄処理装置は、畑で使用された農ポリの土砂や汚れを落とし、農ポリから分離した泥や粉塵を回収するものである。以下、この洗浄処理装置の構成を説明する。
【００１４】
ストックヤード１に貯められた農ポリはコンベア３２によって破砕機３３に運ばれ、この破砕機３３によって数十ｍｍ〜数百ｍｍ程度の大きさに破砕される。
【００１５】
破砕機３３によって破砕された農ポリの破砕片はコンベア３４，３５、バケットコンベア３６によって乾燥機３７に送られ、乾燥機３７によって乾燥される。
【００１６】
乾燥機３７は運ばれて来た農ポリの破砕片をモータによって回転する羽根車によって撹拌し、ブロア３８を介してバーナから送り込まれる熱風により乾燥させる。
【００１７】
乾燥機３７にて農ポリの破砕片を乾燥する過程で、破砕片の表面に付着した土砂等が分離され、分離された土砂は振動コンベア４１、コンベア４２、コンベア４３によって廃土ビット４４に運ばれる。
【００１８】
乾燥機３７から排出される空気中に含まれる粉塵は集塵機４６によって回収される。乾燥機３７にて乾燥した農ポリは、バケットコンベア４７によって粉砕機５１に送られ、粉砕機５１によって数ｍｍ〜数十ｍｍ程度の大きさに粉砕される。粉砕機５１から搬送空気と共に排出される粉塵は集塵機９５によって回収される。
【００１９】
粉砕機５１によって細かく粉砕された農ポリの破砕片はコンベア５２によって分配投入機５３に入れられた後、分配投入機５３から第一、第二送りブロア５４，５５によって第一、第二乾式洗浄機５６，５７に送られる。
【００２０】
第一、第二乾式洗浄機５６，５７は円筒状をした本体の内周および高速回転体４９の外周から多数の突起が突出する構造を有し、破砕片が本体と高速回転体４９の間を通過する過程で、破砕片が突起に繰り返し衝突し、衝撃あるいは摩擦力によって破砕片の表面に付いた汚れが剥離するようになっている。
【００２１】
こうして第一、第二乾式洗浄機５６，５７にて洗浄された農ポリは第一、第二送りブロア５８，５９によって土砂分離機６０に送られ、土砂分離機６０にて土砂と粉塵と農ポリに分離される。第一、第二乾式洗浄機５６，５７が並列に設けられるため、時間当たりに洗浄される農ポリの量を増やせる。
【００２２】
土砂分離機６０から搬送空気と共に排出される粉塵は集塵機９１によって回収される。土砂分離機６０にて分離された土砂はコンベア９２によって廃土ビット９３に運ばれる。土砂分離機６０にて分離された農ポリはスクリュコンベア８１を介して取り出された後、図示しないグラッシュ製造装置によって固められ、リサイクル材料として用いられる。
【００２３】
図４は土砂分離機６０の概略構成を示す斜視図である。土砂分離機６０は土砂と粉塵を通すスクリーン６３を筒状に形成したスクリーン回転筒６５と、このスクリーン回転筒６５を回転可能に収容する本体６１と、スクリーン回転筒６５を回転駆動する回転駆動手段と、スクリーン回転筒６５の前端６５ａに搬送空気と共に農ポリの破砕片を搬入する搬入口６６と、スクリーン６３を通った粉塵を搬送空気と共に排出する粉塵排出口６７と、スクリーン６３を通った土砂を重力によって搬出する土砂排出口６８と、スクリーン回転筒６５の後端６５ｂから農ポリの破砕片を搬出する搬出口６９とを備える。
【００２４】
図４に矢印で示すように、土砂分離機６０にて本体６１の搬入口６６からスクリーン回転筒６５内に搬送空気と共に農ポリの破砕片が搬入され、粉塵がスクリーン６３を通り抜けて本体６１の粉塵排出口６７から搬送空気と共に排出される一方、土砂がスクリーン６３を通り抜けて本体６１の土砂排出口６８へと重力によって搬出され、残った農ポリの破砕片がスクリーン回転筒６５の後端６５ｂから本体６１の搬出口６９からスクリュコンベア８１へと搬出される。
【００２５】
図５に示すように、土砂分離機６０の本体６１は傾斜台７１によって水平線に対して傾斜して搭載され、スクリーン回転筒６５がその前端６５ａからその後端６５ｂにかけて次第に低くなるように設けられる。
【００２６】
スクリーン回転筒６５は四角形の断面をした筒状に形成され、その前端部にリング７２が結合され、このリング７２が対のローラ７３によって回転可能に支持される一方、その後端部がシャフト７４が結合され、このシャフト７４が軸受７５によって回転可能に支持される。
【００２７】
スクリーン回転筒６５を回転駆動する回転駆動手段として、シャフト７４は本体６１の後壁部６１ａを貫通して設けられ、シャフト７４を回転駆動するモータ７６が設けられる。
【００２８】
スクリーン回転筒６５は四角形の枠状をしたフレーム６４にスクリーン６３が張り付けられ、四角形の断面をした筒状に形成される。なお、スクリーン回転筒６５はこれに限らず、三角形、五角形以上の多角形、あるいは円形の断面を持つ筒状に形成しても良い。
【００２９】
スクリーン６３はパンチングメタル板（多孔板）からなり、粉塵や土砂がスクリーン６３の孔を通り抜けてスクリーン回転筒６５の外側に出られるようになっている。なお、スクリーン６３はこれに限らず金網等のメッシュ材を用いても良い。
【００３０】
搬入口６６はスクリーン回転筒６５と同軸上に延びる円筒状に形成され、スクリーン回転筒６５内の前端部中央部に面して開口する。これにより、第一、第二ブロア５８，５９から搬送空気と共に搬入口６６に送り込まれる農ポリの破砕片はスクリーン回転筒６５内の中央部にスクリーン回転筒６５の回転軸方向に沿って流入するようになっている。
【００３１】
スクリーン回転筒６５内の中程には空気流速調整板８１が設けられ、スクリーン回転筒６５内の中央部を流れる搬送空気流をこの空気流速調整板８１に当てて、搬送空気流の流れ方向がスクリーン回転筒６５の回転径方向に曲げられるようになっている。
【００３２】
図６に示すように、空気流速調整板８１は円盤状に形成され、４本のステー８２を介してスクリーン回転筒６５のフレーム６４に取り付けられる。空気流速調整板８１はスクリーン回転筒６５の回転軸と直交するように配置される。
【００３３】
空気流速調整板８１の大きさと空気流速調整板８１の取り付け位置は搬入口６６の空気流速等に応じて任意に設定される。スクリーン回転筒６５のフレーム６４にはステー８２の取り付け部が予め複数箇所に設けられている。
【００３４】
本体６１の上壁部６１ｂには複数の粉塵排出口６７がスクリーン回転筒６５の回転軸方向に並んで設けられる。スクリーン６３を通った粉塵は搬送空気と共に各粉塵排出口６７から集塵機９１へと吸い出される。
【００３５】
本体６１の下壁部６１ｃには複数の土砂排出口６８がスクリーン回転筒６５の回転軸方向に並んで設けられる。スクリーン６３を通った土砂は重力によって土砂排出口６８から排出され、コンベア９２へと落下する。なお、土砂排出口６８の開口端を開閉する蓋を設けて、土砂排出口６８から流出する空気流を止めるようにしても良い。
【００３６】
搬出口６９は本体６１の下壁部６１ｃの後端部に開口し、搬出口６９にスクリュコンベア８１の入口が接続され、搬出口６９から空気が流出しないようになっている。スクリーン回転筒６５の後端６５ｂから搬出される農ポリの破砕片は搬出口６９からスクリュコンベア８１を介して搬出される。
【００３７】
洗浄処理装置は、コンベア３２、破砕機３３、コンベア３４，３５、バケットコンベア３６、乾燥機３７、ブロア３８、振動コンベア４１、コンベア４２、コンベア４３、バケットコンベア４７、粉砕機５１、分配投入機５３、第一、第二送りブロア５４，５５、第一、第二乾式洗浄機５６，５７、第一、第二送りブロア５８，５９、土砂分離機６０、集塵機９１、コンベア９２等の作動が図示しない集中制御盤によって制御される。
【００３８】
洗浄処理装置は以上のように構成され、破砕機３３によって農ポリが破砕片に破砕されるとともに泥等が分離され、乾燥機３７によって破砕片が送風により乾燥され、粉砕器５１によって農ポリがさらに細かい破砕片に粉砕されるとともに泥等が分離され、第一、第二乾式洗浄機５６，５７にて高速回転体４９によって与えられる衝撃あるいは摩擦力により破砕片の表面に付いた汚れが剥離され、土砂分離機６０にて土砂と粉塵がそれぞれ農ポリから分離して回収されるとともに、汚れが十分に落とされた農ポリが回収される。
【００３９】
本実施形態では、洗浄処理装置は農ポリを破砕片に破砕する破砕機３３と、この破砕機３３から出た破砕片の表面に付いた汚れを高速回転体４９によって与えられる衝撃あるいは摩擦力で剥離させる乾式洗浄機５６，５７と、スクリーン回転筒６５を有しこの乾式洗浄機５６，５７から出た破砕片を搬送空気と共にこのスクリーン回転筒６５内を通すことによって破砕片から分離した土砂と粉塵をこのスクリーン回転筒６５のスクリーン６３を通して排出する土砂分離機６０とを備えたため、畑で使用された農ポリの汚れを十分に落とすことが可能となり、高品質のリサイクル材料を得られる。
【００４０】
本実施形態では、土砂分離機６０は土砂と粉塵を通すスクリーン６３を筒状に形成したスクリーン回転筒６５と、このスクリーン回転筒６５を回転可能に収容する本体６１と、スクリーン回転筒６５を回転駆動する回転駆動手段と、スクリーン回転筒６５の前端６５ａに搬送空気と共に農ポリの破砕片を搬入する搬入口６６と、スクリーン６３を通った粉塵を搬送空気と共に排出する粉塵排出口６７と、スクリーン６３を通った土砂を重力によって搬出する土砂排出口６８と、スクリーン回転筒６５の後端６５ｂから農ポリの破砕片を搬出する搬出口６９とを備えたため、粉塵と土砂を十分に分離した農ポリを回収することができる。
【００４１】
本実施形態では、スクリーン回転筒６５の回転軸を水平線に対して傾斜させ、スクリーン回転筒６５をその前端６５ａからその後端６５ｂにかけて次第に低くなるように設置したため、スクリーン回転筒６５の回転に伴って農ポリの破砕片が搬出口６９へと移動し、その間に土砂がスクリーン６３を通り抜けて分離され、土砂を十分に分離した農ポリを回収することができる。
【００４２】
本実施形態では、スクリーン回転筒６５内の中程に搬送空気流が当たる空気流速調整板８１を設けたため、空気流速調整板８１によって搬送空気流の流れ方向がスクリーン回転筒６５の回転径方向に曲げられることにより、粉塵がスクリーン６３を通り抜けて分離されることが促され、粉塵を十分に分離した農ポリを回収することができる。
【００４３】
本実施形態では、洗浄処理装置は破砕機３３によって破砕された農ポリの破砕片を乾燥する乾燥機３７と、この乾燥機３７から出た農ポリの破砕片をさらに細かい破砕片に粉砕する粉砕機５１とを備え、この粉砕機５１から出た破砕片を乾式洗浄機５６，５７に送る構成としたため、搬送中に農ポリの破砕片が例えば第一、第二ブロア５４，５５等に詰まることを防止できるととももに、土砂分離機６０によって農ポリの破砕片から粉塵と土砂を分離する効果を高められる。
【００４４】
本発明は上記の実施の形態に限定されずに、畑等で使用される農業用のポリエチレン製シート以外の例えば塩化ビニール製シート等他の合成樹脂製シートのリサイクルシステムにも適用でき、その技術的な思想の範囲内において種々の変更がなしうることは明白である。
【図面の簡単な説明】
【００４５】
【図１】本発明の実施の形態を示す合成樹脂製シートの洗浄処理装置のシステム図。
【図２】同じく合成樹脂製シートの洗浄処理装置の平面図。
【図３】同じく図２のＡ−Ａ線に沿う断面図。
【図４】同じく土砂分離機の概略構成を示す斜視図。
【図５】同じく土砂分離機の断面図。
【図６】同じく図５のＡ矢視図。
【図７】同じく図５のＢ−Ｂ線に沿う断面図。
【図８】従来例を示す合成樹脂製シートの洗浄処理装置のシステム図。
【符号の説明】
【００４６】
３３  破砕機
３７  乾燥機
４９  高速回転体
５１  粉砕器
５６，５７  乾式洗浄機
６０  土砂分離機
６３  スクリーン
６５  スクリーン回転筒
６６  搬入口
６７  粉塵排出口
６８  土砂排出口
６９  搬出口
８１  空気流速調整板
【図１】
2008030364.tif 000003
【図２】
2008030364.tif 000004
【図３】
2008030364.tif 000005
【図４】
2008030364.tif 000006
【図５】
2008030364.tif 000007
【図６】
2008030364.tif 000008
【図７】
2008030364.tif 000009
【図８】
2008030364.tif 000010